(57)【要約】【課題】自動的にシステムのオン／オフを行うことを可能とした無線電話装置を用いた緊急事態監視システムの提供。【解決手段】親機１の制御部１４ではすべての子機２との無線通信状態を定期的に参照し、少なくとも１台の子機２との無線通信状態が喪失した場合は直ちに緊急事態信号入出力部１１と緊急事態信号線７を経由して緊急事態制御部５へ制御信号を送信し、対応する子機２の通信情報２０２を更新する。緊急事態制御部５では親機１から受け取った制御信号に反応して緊急事態監視システムを自動オンし、その後、子機２の通信状態が回復した場合、親機１の制御部１４は緊急事態信号線７を経由して緊急事態制御部５へ制御信号を送信し、対応する子機２の通信情報２０２を更新する。緊急事態制御部５では親機１から受け取った制御信号に反応して緊急事態監視システムを自動オフする。【選択図】  図１
2004343518.tif 000002
【特許請求の範囲】
【請求項１】
親機と複数の子機からなる無線電話装置を遠隔制御装置として使用する緊急事態監視システムにおいて、
前記親機と前記複数の子機のうち少なくとも一つ以上との無線通信状態が確立されているかどうかによって当該緊急事態監視システムのオンまたはオフ制御を自動的に行うことを特徴とする無線電話装置を用いた緊急事態監視システム。
【請求項２】
前記親機と前記複数の子機のすべてとの無線通信状態が確立されたと判断された場合に、当該緊急事態監視システムを自動的にオフすることを特徴とする請求項１記載の無線電話装置を用いた緊急事態監視システム。
【請求項３】
予め設定された時間内に前記親機と前記複数の子機のすべてとの無線通信状態が回復しない場合に、当該緊急事態監視システムを自動的にオンすることを特徴とする請求項１記載の無線電話装置を用いた緊急事態監視システム。
【請求項４】
前記親機と前記複数の子機のうち予め設定された一つ以上の特定の子機との無線通信状態が失われた場合にのみ、当該緊急事態監視システムを自動的にオンすることを特徴とする請求項１記載の無線電話装置を用いた緊急事態監視システム。
【請求項５】
前記親機と前記複数の子機のうち予め設定された一つ以上の特定の子機との無線通信状態が回復した場合にのみ、当該緊急事態監視システムを自動的にオフすることを特徴とする請求項１記載の無線電話装置を用いた緊急事態監視システム。
【請求項６】
前記子機で通話中に無線通信状態が失われた場合に、当該緊急事態監視システムを自動的にオンすることを特徴とする請求項１記載の無線電話装置を用いた緊急事態監視システム。
【請求項７】
前記親機が前記子機との無線通信状態の信号レベルを予め設定された基準値と比較し、前記信号レベルが前記基準値を下回った場合に当該緊急事態監視システムを自動的にオンし、また上回った場合には当該緊急事態監視システムを自動的にオフすることを特徴とする請求項１記載の無線電話装置を用いた緊急事態監視システム。
【請求項８】
親機と複数の子機からなる無線電話装置であって、且つ、ホームセキュリティシステム等の緊急事態監視システムとの有線又は無線の接続手段を有し、前記緊急事態監視システムのｏｎ／ｏｆｆ制御を前記親機と少なくとも一つ以上の前記子機との前記無線通信手段と連携させ、前記無線通信手段が確立されているかどうかによって前記緊急事態監視システムのｏｎ／ｏｆｆ制御を自動的に行う無線電話装置。
【発明の詳細な説明】
【０００１】
【発明の属する技術分野】
本発明は、親機と複数の子機からなる無線電話装置を遠隔制御装置として使用する緊急事態監視システムおよび無線電話装置に関する。
【０００２】
【従来の技術】
近年、家庭内に配置された複数のセンサを一括して管理するボックス型の緊急事態監視システムが、社会環境の変化に伴って普及し始めている。さらに、この緊急事態監視システムに、一般に広く普及している無線電話装置を組み合わせることで、複数の子機へ緊急事態監視システムからの情報を表示したり、あるいは、子機に緊急通報機能を持たせたりすることによって、緊急事態監視システム活用の利便性の向上がなされている。
【０００３】
以下、図面を参照しながら従来の無線電話装置を用いた緊急事態監視システムについて説明を行う。
【０００４】
図１０は従来の無線電話装置を用いた緊急事態監視システムの構成図である。
【０００５】
図１０において、緊急事態監視システムは、ボックス型の緊急事態監視システム本体１０１と、このボックス型の緊急事態監視システム本体１０１と接続される無線電話装置１０２とから構成される。
【０００６】
ボックス型の緊急事態監視システム本体１０１は、家庭内に配置された複数のセンサ１０４と、このセンサ１０４と有線あるいは無線によって接続された緊急事態制御装置１０３から構成される。
【０００７】
無線電話装置１０２は、親機１０６と複数の子機１０７（ここではＮ台）から構成される。親機１０６と複数の子機１０７は、それぞれアンテナ１０８，１０９を備え、無線によって相互に通信を行う。
【０００８】
ボックス型の緊急事態監視システム本体１０１は、電話線１１１によって公衆回線網１０５に接続されるとともに、電話線を含む有線の通信路１１０によって無線電話装置１０２と接続されている。
【０００９】
以上のように構成された従来の無線電話装置１０２を用いた緊急事態監視システムについて、以下その動作を説明する。
【００１０】
無線電話装置１０２は、（１）子機１０７および親機１０６がそれぞれ緊急事態監視システムの緊急通報装置として機能するか、あるいは（２）緊急事態情報の視覚的あるいは音声的な表示装置として機能するか、あるいは（３）ユーザによる緊急事態監視システムの遠隔制御装置として機能するかの３つの機能を持つ。
【００１１】
（１）緊急通報装置としての機能：親機１０６および各子機１０７には手動で入力できる緊急スイッチ（図示せず。）が備えられている。火災や侵入者発見などの緊急事態発生時には、ユーザが身近な親機１０６あるいは子機１０７の緊急スイッチを操作することによって、緊急事態制御装置１０３へ緊急事態発生を通知する。親機１０６の場合、直接に有線の通信路１１０によって親機１０６から緊急事態制御装置１０３へ情報が伝達され、子機１０７の場合にはいったん親機１０６へ無線によって情報が伝達されたのちに、親機１０６を経由して緊急事態制御装置１０３へ情報が伝達される。緊急事態制御装置１０３はセンサ１０４からの緊急信号と同様にして、親機１０６から伝達されたこれらの緊急事態発生の情報を電話線１１１および公衆回線網１０５を介して、中央緊急事態センタや、警察や消防などの公共緊急事態部門へ緊急事態発生の連絡を自動的に行う。
【００１２】
（２）表示装置としての機能：センサ１０４が緊急事態を検出した場合、その緊急信号はまず緊急事態制御装置１０３へ伝えられる。緊急事態制御装置１０３は緊急事態の発生を電話線１１１および公衆回線網１０５経由で中央緊急事態センタや公共緊急事態部門へ連絡するとともに、有線の通信路１１０を経由して無線電話装置１０２の親機１０６へ緊急事態の発生情報を伝える。親機１０６はこの情報を無線によって子機１０７のすべてあるいは一部に伝え、情報を受け取った子機１０７はそれを視覚的あるいは音声的に表示する。
【００１３】
（３）遠隔制御装置としての機能：ユーザによるボックス型の緊急事態監視システム本体１０１の実使用における様々な制御（例：外出時のオン、帰宅時のオフ、在宅中の訪問客のために一時的に一部の機能を解除するなど。）は緊急事態制御装置１０３でも行えるが、大抵の場合、緊急事態制御装置１０３は地下室などのユーザが通常行かない場所に設置される場合が多い。そのため、この様々な制御機能を居間に置いてある親機１０６や寝室等に置いてある子機１０７からも行えると大変便利である。この遠隔制御装置として機能する場合、例えば庭先で芝刈りや盆栽いじりをする時には、子機１０７を持ち出して、その子機１０７から手動でボックス型の緊急事態監視システム本体１０１をオン／オフする。あるいは、毎日決まった時間に自動的にオンまたはオフするようにユーザ設定でスケジューリング（定時自動オン／オフ）を行う。
【００１４】
特許文献１には、緊急通報の発信をする場合には、圏外の場合や発信規制中の場合でもできる限り発信可能とし、発信中においては受信状態が劣化したときに切れ難くすることにより、緊急通報を優先させて発信を行なえるようにできる。同様に、発信規制中には緊急通報の情報を付加して発信処理をするので、迅速且つ確実に通報を達成できるようにしたことが記載されております。
【００１５】
特許文献２には、監視対象者が危険なエリアに進入していることを、容易に確認できるようにし、監視対象者が危険エリア内に進入しているか否かを判定することについて記載されております。
【００１６】
【特許文献１】
特開２００１−２６８６４０号公報
【特許文献２】
特開２００２−２６９６５３号公報
【００１７】
【発明が解決しようとする課題】
無線電話装置１０２をボックス型の緊急事態監視システム本体１０１の遠隔制御装置として使用する場合、例えば庭先で庭仕事をしていて、急に思い立って近所に出かける場合など、手動によるオン／オフでは、ついオンにするのを忘れてしまうことが考えられる。緊急事態監視システムへの過信と油断から却って盗難に遭ってしまうこともあり得る。また、スケジューリングを設定している場合には、外出時間や帰宅時間が変わってしまう度に、その都度スケジューリングを設定しなおす必要があり不便である。
【００１８】
本発明は、上記従来の課題に鑑み、自動的に緊急事態監視システムのオン／オフを行うことを可能とした無線電話装置を用いた緊急事態監視システムおよび無線電話装置を提供することを目的とする。
【００１９】
【課題を解決するための手段】
上記課題を解決するために、本発明の無線電話装置を用いた緊急事態監視システムは、親機と少なくとも一つ以上の前記子機との無線通信状態が確立されているかどうかによって当該緊急事態監視システムのオンまたはオフ制御を自動的に行うことを特徴とするものである。
【００２０】
本発明によれば、自動的に緊急事態監視システムのオンまたはオフを行うことを可能とした無線電話装置を用いた緊急事態監視システムが得られる。
【００２１】
【発明の実施の形態】
請求項１に記載の発明は、親機と複数の子機からなる無線電話装置を遠隔制御装置として使用する緊急事態監視システムにおいて、前記親機と前記複数の子機のうち少なくとも１台以上との無線通信状態が確立されているかどうかによって当該緊急事態監視システムのオンまたはオフ制御を自動的に行うことを特徴とする無線電話装置を用いた緊急事態監視システムであり、親機と少なくとも１台以上の子機との無線通信状態を判断し、無線通信状態が失われたタイミングで緊急事態監視システムを自動的にオンし、回復したタイミングで自動的にオフすることができるという作用を有する。
【００２２】
請求項２に記載の発明は、前記親機と前記複数の子機のすべてとの無線通信状態が確立されたと判断された場合に、当該緊急事態監視システムを自動的にオフすることを特徴とする請求項１記載の無線電話装置を用いた緊急事態監視システムであり、親機と複数の子機のすべてとの無線通信状態が確立されたと判断されたタイミングで、緊急事態監視システムを自動的にオンすることができるという作用を有する。
【００２３】
請求項３に記載の発明は、予め設定された時間内に前記親機と前記複数の子機のすべてとの無線通信状態が回復しない場合に、当該緊急事態監視システムを自動的にオンすることを特徴とする請求項１記載の無線電話装置を用いた緊急事態監視システムであり、予め設定された時間内に親機と複数の子機のすべてとの無線通信状態が回復しない場合に、当該緊急事態監視システムを自動的にオンすることができるという作用を有する。
【００２４】
請求項４に記載の発明は、前記親機と前記複数の子機のうち予め設定された一つ以上の特定の子機との無線通信状態が失われた場合にのみ、当該緊急事態監視システムを自動的にオンすることを特徴とする請求項１記載の無線通信装置を用いた緊急事態監視システムであり、予め設定された一つ以上の特定の子機との無線通信状態が失われた場合にのみ、緊急事態監視システムを自動的にオンすることができるという作用を有する。
【００２５】
請求項５に記載の発明は、前記親機と前記複数の子機のうち予め設定された一つ以上の特定の子機との無線通信状態が回復した場合にのみ、当該緊急事態監視システムを自動的にオフすることを特徴とする請求項１記載の無線電話装置を用いた緊急事態監視システムであり、予め設定された一つ以上の特定の子機との無線通信状態が回復した場合にのみ、緊急事態監視システムを自動的にオンすることができるという作用を有する。
【００２６】
請求項６に記載の発明は、前記子機で通話中に無線通信状態が失われた場合に、当該緊急事態監視システムを自動的にオンすることを特徴とする請求項１記載の無線電話装置を用いた緊急事態監視システムであり、子機で通話中に無線通信状態が失われた場合に、当該緊急事態監視システムを自動的にオンすることができるという作用を有する。
【００２７】
請求項７に記載の発明は、前記親機が前記子機との無線通信状態の信号レベルを予め設定された基準値と比較し、前記信号レベルが前記基準値を下回った場合に当該緊急事態監視システムを自動的にオンし、また上回った場合には当該緊急事態監視システムを自動的にオフすることを特徴とする請求項１記載の無線電話装置を用いた緊急事態監視システムであり、子機と親機間の無線通信状態の有無ではなく、無線通信状態の信号レベルをある基準値と大小比較し、下回った時に緊急事態監視システムを自動オン、上回った時に自動オフすることができるという作用を有する。
【００２８】
以下、本発明の実施の形態について、図面を参照しながら説明する。
【００２９】
（実施の形態１）
図１は本発明の第１の実施の形態における無線電話装置を用いた緊急事態監視システムの構成図である。
【００３０】
図１において、緊急事態監視システムは、１台の親機１とＮ台の子機２とが無線通信路（図示せず。）によって接続された無線電話装置３と、複数のセンサ４が接続された緊急事態制御部５とから構成される。親機１は、電話回線６および緊急事態信号線７によって緊急事態制御部５に接続されている。緊急事態制御部５は、電話線８によって公衆回線網９に接続されている。
【００３１】
親機１は、電話回線部１０と、緊急事態信号入出力部１１と、アンテナ１２と、無線部１３と、制御部１４と、表示部１５と、入力部１６と、音声出力部１７と、音声入力部１８と、子機の識別情報２０１と通信情報２０２を保持するメモリ部１９とから構成される。
【００３２】
子機２は、それぞれアンテナ２０と、無線部２１と、制御部２２と、識別情報２０３を保持するメモリ部２３と、表示部２４と、入力部２５と、音声出力部２６と、音声入力部２７とから構成される。
【００３３】
ドアの開閉を検出するドアセンサ、移動物を検出するモーションセンサや煙検知機などを含むセンサ４は、邸宅内の要所に配置される。通常、緊急事態制御部５は来客や郵便物の配達人などの目から隠蔽するために地下室に設置され、センサ４はこの緊急事態制御部５と有線あるいは無線によって接続されている。
【００３４】
親機１は、通常状態では電話線７、緊急事態制御部５および電話線８を経由して公衆回線網９に接続された電話装置として機能するため、ユーザが普段生活しているリビング等に配置される。子機２は１台の親機１に対して複数備えることができるため、それぞれの子機２は寝室や子供部屋などに分散して配置されるが、例えば庭仕事などの場合に屋外に持ち出されることもあり得る。
【００３５】
以上のように構成された無線電話装置を用いた緊急事態監視システムについて、以下その動作を説明する。
【００３６】
センサ４のひとつが異常状態（例えば初期の火災による煙）を検知した場合、まずその異常は緊急事態制御部５に通知される。
【００３７】
異常を認識した緊急事態制御部５は、電話線８によって公衆回線網９経由で予め契約した緊急事態会社の中央センタあるいは消防署などの公共緊急センタへ異常を自動的に連絡する（このとき、無線電話装置が電話線８を使用していれば、緊急事態制御部５によって回線の切り替え処理が発生するが、この処理については本特許の範囲でないので説明は省略する。）。また、これと同時に、緊急事態制御部５は邸宅内の住人に異常発生を伝えるため、緊急事態信号線７を経由して親機１に警報信号を送る。
【００３８】
親機１は、緊急事態信号入出力部１１を介してこの警報信号を受け取り、制御部１４の制御のもとに、親機１自体の表示部１５に異常を伝えるメッセージを表示するか、あるいは音声出力部１７にメッセージを流す。さらに、親機１は、分散して配置された子機２に、警報メッセージを伝達する。
【００３９】
ところで、親機１のメモリ部１９内には、すべての子機２の識別情報２０１と対応する通信情報２０２を保持している。親機１は、常時定期的にすべての子機２との無線通信状態を監視し、変化があれば対応する通信情報２０２を都度更新する。
【００４０】
次に本実施の形態における緊急事態監視システムの遠隔制御手順の詳細について図２の本発明の第１の実施の形態における緊急事態監視システムによる遠隔制御手順を示すフローチャートを用いて説明する。
【００４１】
ステップＳ１００において、初期状態では緊急事態監視システムはオフ（ｏｆｆ）である。
【００４２】
ステップＳ１０１において、親機１の制御部１４は、すべての子機２との無線通信状態を定期的に参照する。
【００４３】
ステップＳ１０２において、もし少なくとも１台の子機２との無線通信状態が喪失した場合、親機１の制御部１４は直ちに緊急事態信号入出力部１１と緊急事態信号線７を経由して緊急事態制御部５へ制御信号を送信し、ステップＳ１０３において対応する子機２の通信情報２０２を更新する。
【００４４】
ステップＳ１０４において、緊急事態制御部５は、親機１から受け取った制御信号に反応して緊急事態監視システムを自動オンする。
【００４５】
ステップＳ１０５において、その後、子機２の無線通信状態が回復した場合、親機１の制御部１４は、緊急事態信号入出力部１１と緊急事態信号線７を経由して緊急事態制御部５へ制御信号を送信し、ステップＳ１０６において対応する子機２の通信情報２０２を更新する。
【００４６】
ステップＳ１０７において、緊急事態制御部５は、親機１から受け取った制御信号に反応して緊急事態監視システムを自動オフする。
【００４７】
以上のように、本実施の形態における緊急事態監視システムでは、子機２と親機１間の無線通信状態の喪失／回復に応じて、緊急事態監視システムの自動オン／オフを行う。すなわち、本実施の形態における緊急事態監視システムによれば、親機１と少なくとも１台以上の子機２との無線通信状態を判断し、無線通信状態が失われたタイミングで緊急事態監視システムが自動的にオンされ、回復したタイミングで自動的にオフされることから、ユーザの外出時のオンし忘れを未然に防ぐことができる。また、スケジューリング等の定時オンまたはオフの再設定を、外出・帰宅時間が変わる度にし直す煩雑さをなくすことができる。
【００４８】
（実施の形態２）
図３は本発明の第２の実施の形態における無線電話装置を用いた緊急事態監視システムによる遠隔制御手順を示すフローチャートである。なお、全体の構成については、図１と同様である。
【００４９】
図３において、ステップＳ１１２からステップＳ１１４に示す緊急事態監視システムの自動オンの動作は、第１実施の形態と全く同一である。
【００５０】
自動オフの動作に関しては、ステップＳ１１５からステップＳ１１８に示すように、親機１のメモリ部１９に保持されているすべての子機２の通信情報２０２が、すべて回復されている状態になって初めて緊急事態監視システムを自動オンさせる。
【００５１】
以上のように、本実施の形態における緊急事態監視システムでは、すべての子機２の通信状態が回復して初めて緊急事態監視システムを自動オンする。すなわち、本実施の形態における緊急事態監視システムによれば、親機１と複数の子機２のすべてとの無線通信状態が確立されたと判断されたタイミングで、緊急事態監視システムが自動的にオンされることから、すべての同居家族が帰宅した場合等に緊急事態監視システムを自動的にオフすることができる。
【００５２】
（実施の形態３）
図４は本発明の第３の実施の形態における無線電話装置を用いた緊急事態監視システムによる遠隔制御手順を示すフローチャートである。なお、全体の構成については、図１と同様である。
【００５３】
図４において、ステップＳ１２６からステップＳ１２８に示す緊急事態監視システムの自動オフの動作は、第１実施の形態と全く同一である。
【００５４】
自動オンの動作に関しては、ステップＳ１２２からステップＳ１２５に示すように、親機１の制御部１４に内蔵のタイマー機能を利用して、通信状態が喪失されてから緊急事態監視システムの自動オンまでの遅延時間を、設置時初期設定またはユーザ設定により、親機１の入力部１６または子機２の入力部２５から自由に設定できる。
【００５５】
以上のように、本実施の形態における緊急事態監視システムでは、通信状態が喪失してから緊急事態監視システムの自動オンまでの一定の遅延時間を緊急事態監視システムに持たせている。すなわち、本実施の形態における緊急事態監視システムによれば、予め設定された時間内に親機１と複数の子機２のすべてとの無線通信状態が回復しない場合に、当該緊急事態監視システムが自動的にオンされることから、例えばユーザが門の所へ新聞や郵便物を取りに行くなど、すぐに戻れる一時的な外出等の場合に、邸宅への出入りの度に緊急事態監視システムをオンまたはオフする必要がなくなる。
【００５６】
（実施の形態４）
図５は本発明の第４の実施の形態における親機１のメモリ部１９の構成図、図６は本発明の第４の実施の形態における無線電話装置を用いた緊急事態監視システムによる遠隔制御手順を示すフローチャートである。なお、全体の構成については、図１と同様である。
【００５７】
図５において、メモリ部１９内部にはすべての子機２の識別情報２０１と、それぞれの子機２に対応した通信状態を示す通信情報２０２と、それぞれの子機２の他の子機２に対する優先度情報２０４とが保持されている。
【００５８】
図６に示すように、ステップＳ１３０において、初期状態では緊急事態監視システムはオフの状態である。
【００５９】
ステップＳ１３１において、まず親機１はメモリ部１９内のすべての子機２の優先度情報２０４を参照する。この優先度情報２０４はユーザ設定により、親機１の入力部１６または子機２の入力部２５から自由に設定できる。
【００６０】
ステップＳ１３２において、親機１はすべての子機２の通信情報２０２を参照する。
【００６１】
ステップＳ１３３において、もしいずれかの子機２との無線通信状態が失われた場合、ステップＳ１３４において親機１はその子機２の識別情報２０１と優先度情報２０４とを再び参照し、その子機２が優先されていればステップＳ１３６において直ちに緊急事態監視システムを自動オンする。優先されていなければ何もしない。
【００６２】
その後、ステップＳ１３７において親機１−子機２間の無線通信状態が回復した場合、ステップＳ１３８において親機１はその子機２の識別情報２０１と優先度情報２０４とを参照し、優先されていればステップＳ１４０において直ちに緊急事態監視システムを自動オフする。優先されていなければ何もしない。
【００６３】
以上のように、本実施の形態における緊急事態監視システムでは、特定の優先された子機２の通信状態が喪失／回復したときに、緊急事態監視システムの自動オン／オフを行う。これにより、複数の子機２のうち特定の人物（世帯主や親、管理人など）が通常使用する子機２に優先権を与えることができる。
【００６４】
（実施の形態５）
図７は本発明の第５の実施の形態における無線電話装置を用いた緊急事態監視システムによる遠隔制御手順を示すフローチャートである。なお、全体の構成については、図１と同様である。
【００６５】
図７に示すように、ステップＳ１５０において、初期状態では緊急事態監視システムはオフである。
【００６６】
ステップＳ１５１において、親機１の制御部１４ではすべての子機２との無線通信状態を定期的に参照する。
【００６７】
ステップＳ１５２において、もし子機２から通話を行っている場合、親機１の制御部１４では現在通話状態であることを認識できる。
【００６８】
ステップＳ１５３において、この通話が切断された場合、親機１の制御部１４はユーザが外出したと判断し、ステップＳ１５４において親機１の制御部１４は直ちに緊急事態信号入出力部１１と緊急事態信号線７を経由して緊急事態制御部５へ制御信号を送信し、対応する子機２の通信情報２０２を更新する。
【００６９】
ステップＳ１５５において、緊急事態制御部５では、親機１から受け取った制御信号に反応して緊急事態監視システムを自動オンする。
【００７０】
ステップＳ１５６からステップＳ１５８に示す自動オフの手順は、第１実施の形態と同一である。
【００７１】
以上のように、本実施の形態における緊急事態監視システムでは、子機２で通話中に通信状態が喪失したときに、緊急事態監視システムの自動オンを行う。これにより、例えば子機２の電池交換などのメンテナンスにおいて緊急事態監視システムが誤作動するのを防ぐことができる。
【００７２】
（実施の形態６）
図８は本発明の第６の実施の形態における親機１のメモリ部１９の構成図、図９は本発明の第６の実施の形態における無線電話装置を用いた緊急事態監視システムによる遠隔制御手順を示すフローチャートである。なお、全体の構成については、図１と同様である。
【００７３】
図８に示す信号レベル基準値２０５は、親機１が無線通信状態の信号レベルを比較する際の基準とする値である。この信号レベル基準値２０５は、設置作業者が設置時初期設定において、ユーザの邸宅の広さや親機１の設置場所と玄関等の主要出入り口との距離や、ユーザの意向等を踏まえて、親機１の入力部１６または子機２の入力部２５から設定することができる。
【００７４】
図９に示すように、ステップＳ１６０において、初期状態では緊急事態監視システムはオフである。
【００７５】
ステップＳ１６１において、親機１の制御部１４はまず親機１のメモリ部１９内の信号レベル基準値２０５を参照し、次いでステップＳ１６２において、すべての子機２との無線通信状態を定期的に参照する。
【００７６】
ステップＳ１６３において、ある特定の子機２の無線通信状態の信号レベルが信号レベル基準値２０５を下回った場合、親機１の制御部１４はユーザが外出したと判断し、ステップＳ１６４において親機１の制御部１４は直ちに緊急事態信号入出力部１１と緊急事態信号線７を経由して緊急事態制御部５へ制御信号を送信し、対応する子機２の通信情報２０２を更新する。
【００７７】
ステップＳ１６５において、緊急事態制御部５では親機１から受け取った制御信号に反応して緊急事態監視システムを自動オンする。
【００７８】
次にステップＳ１６６において、ある特定の子機２の無線通信状態の信号レベルが信号レベル基準値２０５を上回った場合、親機１の制御部１４はユーザが帰宅したと判断し、ステップＳ１６７において親機１の制御部１４は緊急事態信号入出力部１１と緊急事態信号線７を経由して緊急事態制御部５へ制御信号を送信し、対応する子機２の通信情報２０２を更新する。
【００７９】
ステップＳ１６８において、緊急事態制御部５では親機１から受け取った制御信号に反応して緊急事態監視システムを自動オフする。
【００８０】
以上のように、本実施の形態における緊急事態監視システムでは、子機２の無線通信状態の信号レベルの増減の検出により、外出直後に緊急事態監視システムを自動オンさせ、帰宅直前まで緊急事態監視システムを起動させておく。これにより、ユーザの使い勝手が向上する。
【００８１】
【発明の効果】
本発明により、以下の効果を奏することができる。
【００８２】
（１）請求項１に記載の発明により、親機と少なくとも１台以上の子機との無線通信状態を判断し、無線通信状態が失われたタイミングで緊急事態監視システムが自動的にオンされ、回復したタイミングで自動的にオフされることから、ユーザの外出時のオンし忘れを未然に防ぐことができる。また、スケジューリング等の定時オンまたはオフの再設定を、外出・帰宅時間が変わる度にし直す煩雑さをなくすことができる。
【００８３】
（２）請求項２に記載の発明により、親機と複数の子機のすべてとの無線通信状態が確立されたと判断されたタイミングで、緊急事態監視システムが自動的にオンされることから、すべての同居家族が帰宅した場合等に緊急事態監視システムを自動的にオフすることができる。
【００８４】
（３）請求項３に記載の発明により、予め設定された時間内に親機と複数の子機のすべてとの無線通信状態が回復しない場合に、当該緊急事態監視システムが自動的にオンされることから、例えばユーザが門の所へ新聞や郵便物を取りに行くなど、すぐに戻れる一時的な外出等の場合に、邸宅への出入りの度に緊急事態監視システムをオンまたはオフする必要がなくなる。
【００８５】
（４）請求項４に記載の発明により、予め設定された一つ以上の特定の子機との無線通信状態が失われた場合にのみ、緊急事態監視システムが自動的にオンされることから、複数の子機のうち特定の人物（世帯主や親、管理人など）が通常使用する子機に優先権を与えることができる。
【００８６】
（５）請求項５に記載の発明により、予め設定された一つ以上の特定の子機との無線通信状態が回復した場合にのみ、緊急事態監視システムが自動的にオンされることから、複数の子機のうちの特定人物（世帯主や親、管理人など）が通常使用する子機に優先権を与えることができる。
【００８７】
（６）請求項６に記載の発明により、子機で通話中に無線通信状態が失われた場合に、当該緊急事態監視システムが自動的にオンされることから、例えば子機の電池交換などのメンテナンスにおいて緊急事態監視システムが誤作動するのを防ぐことができる。
【００８８】
（７）請求項７に記載の発明により、子機−親機間の無線通信状態の有無ではなく、無線通信状態の信号レベルをある基準値と大小比較し、下回った時に緊急事態監視システムを自動オン、上回った時に自動オフすることから、邸宅の広さや親機の配置場所と玄関との距離に応じて基準値を設定し、最適なタイミングでの緊急事態監視システムの自動オンまたはオフを行うことができる。
【図面の簡単な説明】
【図１】本発明の第１の実施の形態における無線電話装置を用いた緊急事態監視システムの構成図
【図２】本発明の第１の実施の形態における緊急事態監視システムによる遠隔制御手順を示すフローチャート
【図３】本発明の第２の実施の形態における無線電話装置を用いた緊急事態監視システムによる遠隔制御手順を示すフローチャート
【図４】本発明の第３の実施の形態における無線電話装置を用いた緊急事態監視システムによる遠隔制御手順を示すフローチャート
【図５】本発明の第４の実施の形態における親機のメモリ部の構成図
【図６】本発明の第４の実施の形態における無線電話装置を用いた緊急事態監視システムによる遠隔制御手順を示すフローチャート
【図７】本発明の第５の実施の形態における無線電話装置を用いた緊急事態監視システムによる遠隔制御手順を示すフローチャート
【図８】本発明の第６の実施の形態における親機のメモリ部の構成図
【図９】本発明の第６の実施の形態における無線電話装置を用いた緊急事態監視システムによる遠隔制御手順を示すフローチャート
【図１０】従来の無線電話装置を用いた緊急事態監視システムの構成図
【符号の説明】
１  親機
２  子機
３  無線電話装置
４  センサ
５  緊急事態制御部
６  電話回線
７  緊急事態信号線
８  電話線
９  公衆回線網
１０  電話回線部
１１  緊急事態信号入出力部
１２  アンテナ
１３  無線部
１４  制御部
１５  表示部
１６  入力部
１７  音声出力部
１８  音声入力部
１９  メモリ部
２０  アンテナ
２１  無線部
２２  制御部
２３  メモリ部
２４  表示部
２５  入力部
２６  音声出力部
２７  音声入力部
２０１  識別情報
２０２  通信情報
２０３  識別情報
２０４  優先度情報
２０５  信号レベル基準値
【図１】
2004343518.tif 000003
【図２】
2004343518.tif 000004
【図３】
2004343518.tif 000005
【図４】
2004343518.tif 000006
【図５】
2004343518.tif 000007
【図６】
2004343518.tif 000008
【図７】
2004343518.tif 000009
【図８】
2004343518.tif 000010
【図９】
2004343518.tif 000011
【図１０】
2004343518.tif 000012